【手続補正書】
【提出日】平成24年6月14日(2012.6.14)
【手続補正１】
【補正対象書類名】特許請求の範囲
【補正対象項目名】全文
【補正方法】変更
【補正の内容】
【特許請求の範囲】
【請求項１】
５００〜１００，０００ダルトンの範囲の分子量を有する少なくとも１つのポリ（オキシエチレン）−ポリ（オキシブチレン）ブロックコポリマーの有効量とそのための眼科的に許容されるビヒクルとを含む無菌の水性眼科用組成物。
【請求項２】
前記ポリ（オキシエチレン）−ポリ（オキシブチレン）ブロックコポリマーが、式（ＥＯ）ｍ（ＢＯ）ｎ（式中、ｍは１０〜１０００の平均値を有する整数であり、ｎは５〜１０００の平均値を有する整数である）のコポリマーである、請求項１に記載の組成物。
【請求項３】
ｍがｎより大きい、請求項２に記載の組成物。
【請求項４】
ｍとｎの比率が２：１〜１０：１の範囲である、請求項３に記載の組成物。
【請求項５】
ｍとｎの比率が３：１〜６：１の範囲である、請求項４に記載の組成物。
【請求項６】
ｍの平均値が４５であり、ｎの平均値が１０である、請求項５に記載の組成物。
【請求項７】
前記ポリ（オキシエチレン）−ポリ（オキシブチレン）ブロックコポリマーが、１，０００〜５０，０００ダルトンの範囲の分子量を有する、請求項１に記載の組成物。
【請求項８】
前記ポリ（オキシエチレン）−ポリ（オキシブチレン）ブロックコポリマーが、２，０００〜１０，０００ダルトンの範囲の分子量を有する、請求項７に記載の組成物。
【請求項９】
前記ポリ（オキシエチレン）−ポリ（オキシブチレン）ブロックコポリマーが、式：
【化５】
2010512546.tif 000001
（式中、Ｒは、水素、メチル、エチル、プロピルおよびブチルからなる群から選択され、ｍは１０〜１０００の平均値を有する整数であり、ｎは５〜１０００の平均値を有する整数である）
のコポリマーである、請求項１に記載の組成物。
【請求項１０】
Ｒがメチルであり、ｍが４５の平均値を有し、ｎが１０の平均値を有する、請求項９に記載の組成物。
【請求項１１】
有効量のポリ（オキシエチレン）−ポリ（オキシプロピレン）ブロックコポリマーをさらに含む、請求項１に記載の組成物。
【請求項１２】
前記ポリ（オキシエチレン）−ポリ（オキシプロピレン）ブロックコポリマーがポロキサミンを含む、請求項１１に記載の組成物。
【請求項１３】
前記組成物が、コンタクトレンズを処理するための無菌水溶液であり、前記溶液が２００〜４００ミリオスモル／キログラムの重量オスモル濃度を有する、請求項１に記載の組成物。
【請求項１４】
コンタクトレンズを殺菌するのに有効な量の眼科的に許容される抗菌剤をさらに含む、請求項１３に記載の組成物。
【請求項１５】
前記抗菌剤がポリクアテルニウム−１を含む、請求項１４に記載の組成物。
【請求項１６】
前記溶液が前記ブロックコポリマーを０．００１〜１重量／体積％の濃度で含む、請求項１に記載の組成物。
【請求項１７】
前記ブロックコポリマー濃度が０．０５〜０．５重量／体積％である、請求項１６に記載の組成物。
【請求項１８】
前記ブロックコポリマー濃度が０．１〜０．２重量／体積％である、請求項１７に記載の組成物。
【請求項１９】
前記ブロックコポリマー濃度が０．１重量／体積％である、請求項１８に記載の組成物。
【請求項２０】
コンタクトレンズの表面特性を改良するかまたは前記コンタクトレンズを洗浄するために前記コンタクトレンズを処理する方法であって、請求項１〜１９のいずれか１項に記載の組成物の有効量を前記コンタクトレンズに適用することを含む、方法。
【手続補正２】
【補正対象書類名】明細書
【補正対象項目名】００１３
【補正方法】変更
【補正の内容】
【００１３】
本発明は、眼科用医療用具の表面特性を改良して、用具のぬれ性を向上させ、用具の洗浄を容易にするための、（ポリオキシエチレン）−（ポリオキシブチレン）ブロックコポリマー（「ＰＥＯ−ＰＢＯ」）と呼ぶブロックコポリマーの使用を対象とする。本明細書に記載のＰＥＯ−ＰＢＯブロックコポリマーは、医療用具を処理するための種々のタイプの組成物（例えば、湿潤溶液、浸漬溶液、洗浄液およびコンフォート液、ならびに殺菌液）中に含有される場合がある。具体的には、本発明は、コンタクトレンズ（特に、ＳｉＨレンズ）を処理するための、このような組成物におけるＰＥＯ−ＰＢＯコポリマーの使用を対象とする。
本発明は、例えば以下の項目を提供する。
（項目１）
５００〜１００，０００ダルトンの範囲の分子量を有する少なくとも１つのポリ（オキシエチレン）−ポリ（オキシブチレン）ブロックコポリマーの有効量とその眼科的に許容されるビヒクルとを含む眼科用組成物。
（項目２）
ポリ（オキシエチレン）−ポリ（オキシブチレン）ブロックコポリマーが、式（ＥＯ）ｍ（ＢＯ）ｎ（式中、ｍは１０〜１０００の平均値を有する整数であり、ｎは５〜１０００の平均値を有する整数である）のコポリマーである、項目１に記載の組成物。
（項目３）
ｍがｎより大きい、項目２に記載の組成物。
（項目４）
ｍとｎの比率が約２：１〜約１０：１の範囲である、項目３に記載の組成物。
（項目５）
ｍとｎの比率が約３：１〜約６：１の範囲である、項目４に記載の組成物。
（項目６）
ｍの平均値が４５であり、ｎの平均値が１０である、項目５に記載の組成物。
（項目７）
ポリ（オキシエチレン）−ポリ（オキシブチレン）ブロックコポリマーが、１，０００〜５０，０００ダルトンの範囲の分子量を有する、項目１に記載の組成物。
（項目８）
ポリ（オキシエチレン）−ポリ（オキシブチレン）ブロックコポリマーが、２，０００〜１０，０００ダルトンの範囲の分子量を有する、項目７に記載の組成物。
（項目９）
ポリ（オキシエチレン）−ポリ（オキシブチレン）ブロックコポリマーが、式：
【化５】
2010512546.tif 000002
（式中、Ｒは、水素、メチル、エチル、プロピルおよびブチルからなる群から選択され、ｍは１０〜１０００の平均値を有する整数であり、ｎは５〜１０００の平均値を有する整数である）
のコポリマーである、項目１に記載の組成物。
（項目１０）
Ｒがメチルであり、ｍが４５の平均値を有し、ｎが１０の平均値を有する、項目９に記載の組成物。
（項目１１）
有効量のポリ（オキシエチレン）−ポリ（オキシプロピレン）ブロックコポリマーもさらに含む、項目１に記載の組成物。
（項目１２）
前記ポリ（オキシエチレン）−ポリ（オキシプロピレン）ブロックコポリマーがポロキサミンを含む、項目１１に記載の組成物。
（項目１３）
組成物が、コンタクトレンズを処理するための無菌水溶液であり、前記溶液が２００〜４００ミリオスモル／キログラムの重量オスモル濃度を有する、項目１に記載の組成物。
（項目１４）
コンタクトレンズを殺菌するのに有効な量で眼科的に許容される抗菌剤もさらに含む、項目１３に記載の組成物。
（項目１５）
前記抗菌剤がポリクアテルニウム−１を含む、項目１４に記載の組成物。
（項目１６）
溶液が前記ブロックコポリマーを０．００１〜１重量／体積％の濃度で含む、項目１に記載の組成物。
（項目１７）
ブロックコポリマー濃度が０．０５〜０．５重量／体積％である、項目１６に記載の組成物。
（項目１８）
ブロックコポリマー濃度が０．１〜０．２重量／体積％である、項目１７に記載の組成物。
（項目１９）
ブロックコポリマー濃度が０．１重量／体積％である、項目１８に記載の組成物。
（項目２０）
レンズの表面特性を改良するかまたはレンズを洗浄するためにコンタクトレンズを処理する方法であって、項目１〜１９のいずれか１項に記載の組成物の有効量をレンズに適用することを含む、方法。